(57)【要約】【課題】番組自動録画の制御によりＨＤＤ等の記憶資源を有効活用することが可能な録画制御装置を提供すること。【解決手段】録画制御装置は、複数チャンネルの録画及び前記複数チャンネルのうちの所定チャンネルに対する録画時間を設定する録画設定手段と、録画部の残容量及び前記所定チャンネルに対して設定された設定録画時間に基づき、前記所定チャンネルを除く前記複数チャンネルの夫々に対して録画時間を算出する録画時間算出手段と、複数の選局手段のうちの第１の選局手段により選局される前記第１のチャンネルの放送信号の録画を前記設定録画時間に従い制御し、前記第１の選局手段を除く前記複数の選局手段の夫々により選局される、前記第１のチャンネルを除く前記複数チャンネルの夫々の放送信号の録画を前記算出録画時間に従い制御する録画制御手段と、を備えている。【選択図】      図１
2010041078.tif 000002
【特許請求の範囲】
【請求項１】
複数チャンネルの録画、及びこれら複数チャンネルのうちの第１のチャンネルに対する第１の録画時間を設定する録画設定手段と、
前記複数チャンネルの放送信号を録画する録画部の残容量、及び前記第１のチャンネルに対して設定された第１の録画時間に基づき、前記第１のチャンネルを除く前記複数チャンネルの夫々に対して録画時間を算出する録画時間算出手段と、
複数チャンネルの放送信号から１チャンネルの放送信号を選局する複数の選局手段と、
前記複数の選局手段のうちの第１の選局手段により選局される前記第１のチャンネルの放送信号の録画を前記第１の録画時間に従い制御し、前記第１の選局手段を除く前記複数の選局手段の夫々により選局される、前記第１のチャンネルを除く前記複数チャンネルの夫々の放送信号の録画を前記算出録画時間に従い制御する録画制御手段と、
を備えたことを特徴とする録画制御装置。
【請求項２】
前記録画時間算出手段は、前記第１のチャンネルを除く前記複数チャンネルの夫々に対して均等な録画時間を算出することを特徴とする請求項１に記載の録画制御装置。
【請求項３】
前記録画設定手段は、さらに、前記複数チャンネルのうちの第２のチャンネルに対する第２の録画時間を設定し、
前記録画時間算出手段は、前記複数チャンネルの放送信号を録画する録画部の残容量、前記第１のチャンネルに対して設定された前記第１の録画時間、及び前記第２のチャンネルに対して設定された第２の録画時間に基づき、前記第１及び第２のチャンネルを除く前記複数チャンネルの夫々に対して録画時間を算出し、
前記録画制御手段は、前記複数の選局手段のうちの第１の選局手段により選局される前記第１のチャンネルの放送信号の録画を前記第１の録画時間に従い制御し、前記複数の選局手段のうちの第２の選局手段により選局される前記第２のチャンネルの放送信号の録画を前記第２の録画時間に従い制御し、前記第１及び第２の選局手段を除く前記複数の選局手段の夫々により選局される、前記第１及び第２のチャンネルを除く前記複数チャンネルの夫々の放送信号の録画を前記算出録画時間に従い制御する、
を備えたことを特徴とする請求項１に記載の録画制御装置。
【請求項４】
前記録画時間算出手段は、前記第１及び第２のチャンネルを除く前記複数チャンネルの夫々に対して均等な録画時間を算出することを特徴とする請求項３に記載の録画制御装置。
【請求項５】
複数チャンネルの録画、及びこれら複数チャンネルの録画時間帯を設定する録画設定手段と、
前記複数チャンネルの放送信号を録画する録画部の残容量、及び前記複数チャンネルに対して設定された録画時間帯に基づき、前記複数チャンネルの夫々に対する録画日数を算出する録画日数算出手段と、
複数チャンネルの放送信号から１チャンネルの放送信号を選局する複数の選局手段と、
前記複数の選局手段の夫々により選局される前記複数チャンネルの夫々の放送信号の録画を前記録画時間帯及び前記算出録画日数に従い制御する録画制御手段と、
を備えたことを特徴とする録画制御装置。
【請求項６】
前記録画日数算出手段は、前記複数チャンネルの夫々に対する均等な録画日数を算出することを特徴とする請求項５に記載の録画制御装置。
【請求項７】
前記録画設定手段は、前記複数チャンネルのうちの所定チャンネルの録画時間帯を変更し、
前記録画日数算出手段は、前記複数チャンネルの放送信号を録画する録画部の残容量、前記所定チャンネルに対して変更された変更録画時間帯、及び前記所定チャンネルを除く前記複数チャンネルに対して設定された設定録画時間帯に基づき、前記所定チャンネルを含む前記複数チャンネルの夫々に対して均等な録画日数を再算出し、
前記録画制御手段は、前記複数の選局手段のうちの所定の選局手段により選局される前記所定チャンネルの放送信号の録画を前記変更録画時間帯及び前記再算出録画日数に従い制御し、前記所定の選局手段を除く前記複数の選局手段の夫々により選局される、前記所定チャンネルを除く前記複数チャンネルの夫々の放送信号の録画を前記設定録画時間帯及び前記再算出録画時間に従い制御する、
ことを特徴とする請求項５に記載の録画制御装置。
【請求項８】
前記録画設定手段は、前記複数チャンネルのうちの所定チャンネルの録画時間帯を変更し、
前記録画日数算出手段は、前記所定チャンネルに対して変更された変更録画時間帯に基づき、前記所定チャンネルに対して割り当てられた前記算出録画日数を変更し、
前記録画制御手段は、前記複数の選局手段のうちの所定の選局手段により選局される前記所定チャンネルの放送信号の録画を前記変更録画時間帯及び前記変更算出録画日数に従い制御し、前記所定の選局手段を除く前記複数の選局手段の夫々により選局される、前記所定チャンネルを除く前記複数チャンネルの夫々の放送信号の録画を前記設定録画時間帯及び前記算出録画日数に従い制御する、
ことを特徴とする請求項５に記載の録画制御装置。
【請求項９】
前記録画日数算出手段は、変更前の録画時間帯より短い録画時間帯への変更の場合、変更前の算出録画日数より長い録画日数へ変更し、変更前の録画時間帯より長い録画時間帯への変更の場合、変更前の算出録画日数より短い録画日数へ変更することを特徴とする請求項８に記載の録画制御装置。
【請求項１０】
複数チャンネルの録画、及びこれら複数チャンネルのうちの所定チャンネルの録画時間を設定し、
前記複数チャンネルの放送信号を録画する録画部の残容量、及び前記所定チャンネルに対して設定された設定録画時間に基づき、前記所定チャンネルを除く前記複数チャンネルの夫々に対する録画時間を算出し、
複数の選局手段のうちの所定の選局手段により選局される前記所定チャンネルの放送信号の録画を前記設定録画時間に従い制御し、前記所定の選局手段を除く前記複数の選局手段の夫々により選局される、前記所定チャンネルを除く前記複数チャンネルの夫々の放送信号の録画を前記算出録画時間に従い制御する、
ことを特徴とする録画制御方法。
【発明の詳細な説明】
【技術分野】
【０００１】
この発明は、地上デジタル放送及び衛星デジタル放送等の録画を制御する録画制御装置及び録画制御方法に関する。
【背景技術】
【０００２】
既に、ＤＶＤ又はＨＤＤ等に対して番組を録画する録画装置が普及しており、さらに、録画予約時に、記録メディアの残りの容量を計算し、ユーザに予約録画可能かどうかを伝える技術なども提案されている（特許文献１参照）。
【０００３】
また、複数チューナを搭載し、複数番組を同時に録画することが可能な録画装置も登場している。例えば、複数番組の同時録画において、ＥＰＧ（電子番組ガイド）を基に各番組のビットレートから求めた総合ビットレートがメモリ処理を超えないように録画番組数を決定する技術が提案されている（特許文献２参照）。
【特許文献１】再公表特許２００２／０２８１００
【特許文献２】特開２０００−２１７０６３号公報
【発明の開示】
【発明が解決しようとする課題】
【０００４】
近年、録画装置に搭載されるＨＤＤの容量は飛躍的に増え、これに伴い、自動録画に対する感心が高まっている。つまり、ユーザが録画したい番組を一つ一つ録画設定するのではなく、録画装置が一定の条件に基づき所定チャンネルを自動録画する技術である。
【０００５】
但し、録画装置に搭載されるＨＤＤの容量が飛躍的に増加したとはいえ、ＨＤＤの容量は有限である。従って、有限なＨＤＤの記憶容量を効率よく使用した自動録画技術が望まれている。
【０００６】
本発明の目的は、番組自動録画の制御により、ＨＤＤ等の記憶資源を有効活用することが可能な録画制御装置及び録画制御方法を提供することにある。
【課題を解決するための手段】
【０００７】
この発明の一実施形態に係る録画制御装置は、複数チャンネルの録画、及びこれら複数チャンネルのうちの第１のチャンネルに対する第１の録画時間を設定する録画設定手段と、前記複数チャンネルの放送信号を録画する録画部の残容量、及び前記第１のチャンネルに対して設定された第１の録画時間に基づき、前記第１のチャンネルを除く前記複数チャンネルの夫々に対して録画時間を算出する録画時間算出手段と、複数チャンネルの放送信号から１チャンネルの放送信号を選局する複数の選局手段と、前記複数の選局手段のうちの第１の選局手段により選局される前記第１のチャンネルの放送信号の録画を前記第１の録画時間に従い制御し、前記第１の選局手段を除く前記複数の選局手段の夫々により選局される、前記第１のチャンネルを除く前記複数チャンネルの夫々の放送信号の録画を前記算出録画時間に従い制御する録画制御手段と、を備えている。
【０００８】
この発明の一実施形態に係る録画制御装置は、複数チャンネルの録画、及びこれら複数チャンネルの録画時間帯を設定する録画設定手段と、前記複数チャンネルの放送信号を録画する録画部の残容量、及び前記複数チャンネルに対して設定された録画時間帯に基づき、前記複数チャンネルの夫々に対する録画日数を算出する録画日数算出手段と、前記複数チャンネルの放送信号を選局する複数の選局手段と、前記複数の選局手段の夫々により選局される前記複数チャンネルの夫々の放送信号の録画を前記録画時間帯及び前記算出録画日数に従い制御する録画制御手段と、を備えている。
【０００９】
この発明の一実施形態に係る録画制御方法は、複数チャンネルの録画、及びこれら複数チャンネルのうちの所定チャンネルの録画時間を設定し、前記複数チャンネルの放送信号を録画する録画部の残容量、及び前記所定チャンネルに対して設定された設定録画時間に基づき、前記所定チャンネルを除く前記複数チャンネルの夫々に対する録画時間を算出し、複数の選局手段のうちの所定の選局手段により選局される前記所定チャンネルの放送信号の録画を前記設定録画時間に従い制御し、前記所定の選局手段を除く前記複数の選局手段の夫々により選局される、前記所定チャンネルを除く前記複数チャンネルの夫々の放送信号の録画を前記算出録画時間に従い制御する。
【発明の効果】
【００１０】
本発明によれば、番組自動録画の制御により、ＨＤＤ等の記憶資源を有効活用することが可能な録画制御装置及び録画制御方法を提供できる。
【発明を実施するための最良の形態】
【００１１】
以下、図面を参照してこの発明の種々な実施の形態を説明する。
【００１２】
図１は、この発明の一実施の形態に係るデジタル放送受信装置１０１（記録制御装置）の構成を説明する図である。デジタル放送受信装置１０１は、例えば番組録画制御装置を搭載したデジタルＴＶ、又は番組録画制御装置を搭載したデジタルレコーダである。ここでは、スクランブルされたデジタル放送信号を受信するチューナモジュール（地上デジタル放送受信用のチューナ、ＢＳ／ＣＳデジタル放送受信用のチューナなど）が８台以上ある場合を例にとって説明する。
【００１３】
第１のチューナ１０２で受信された放送番組の信号はＴＳ分離モジュール１０３に送られ、ＴＳ分離モジュール１０３は放送番組の信号から番組情報（ＥＣＭ）を分離する。この分離されたＥＣＭは、ＣＡＳ制御モジュール１０７を介して、カードスロット（カードインターフェースＩ／Ｆ）１０７ａに装着されたＣＡＳモジュール（ＩＣカードの形態を持つＣＡＳカード：以下、適宜ＣＡＳカードと呼称する）１０８に転送される。ＣＡＳカード１０８の中では、記憶されているワーク鍵（Ｋｗ）を用いてＥＣＭの暗号を復号してスクランブル鍵（Ｋｓ）を得る。同時にＥＣＭからその番組に関する属性情報を得て、ＣＡＳカード１０８に記憶されている契約情報と比較してデスクランブルを行うか否かが判定される。この判定を行う際に、番組の属性情報で指定される課金方式に基づいて制御が行われる。なお、暗号鍵ＫｓとＫｗは放送事業者毎に異なるが、全受信機で共通な鍵である。
【００１４】
また、第２のチューナ１１２で受信された放送番組の信号はＴＳ分離モジュール１１３に送られ、ＴＳ分離モジュール１１３は放送番組の信号からＥＣＭを分離する。分離されたＥＣＭはＣＡＳ制御モジュール１０７を介してＣＡＳカード１０８に転送される。以下同様に、第３のチューナ１２２で受信された放送番組の信号はＴＳ分離モジュール１２３に送られ、ＴＳ分離モジュール１２３は放送番組の信号からＥＣＭを分離する。分離されたＥＣＭはＣＡＳ制御モジュール１０７を介してＣＡＳカード１０８に転送される。また、第４のチューナ１３２で受信された放送番組の信号はＴＳ分離モジュール１３３に送られ、ＴＳ分離モジュール１３３は放送番組の信号からＥＣＭを分離する。分離されたＥＣＭはＣＡＳ制御モジュール１０７を介してＣＡＳカード１０８に転送される。また、第５のチューナ１４２で受信された放送番組の信号はＴＳ分離モジュール１４３に送られ、ＴＳ分離モジュール１４３は放送番組の信号からＥＣＭを分離する。分離されたＥＣＭはＣＡＳ制御モジュール１０７を介してＣＡＳカード１０８に転送される。また、第６のチューナ１５２で受信された放送番組の信号はＴＳ分離モジュール１５３に送られ、ＴＳ分離モジュール１５３は放送番組の信号からＥＣＭを分離する。分離されたＥＣＭはＣＡＳ制御モジュール１０７を介してＣＡＳカード１０８に転送される。また、第７のチューナ１６２で受信された放送番組の信号はＴＳ分離モジュール１６３に送られ、ＴＳ分離モジュール１６３は放送番組の信号からＥＣＭを分離する。分離されたＥＣＭはＣＡＳ制御モジュール１０７を介してＣＡＳカード１０８に転送される。また、第８のチューナ１７２で受信された放送番組の信号はＴＳ分離モジュール１７３に送られ、ＴＳ分離モジュール１７３は放送番組の信号からＥＣＭを分離する。分離されたＥＣＭはＣＡＳ制御モジュール１０７を介してＣＡＳカード１０８に転送される。
【００１５】
通常処理では、ＣＡＳ制御モジュール１０７は、各ＴＳ分離モジュール１０３〜１７３から送られてきたＥＣＭを到着順にＣＡＳカード１０８に送り、ＣＡＳカード１０８から応答されたスクランブル鍵Ｋｓを対応するデスクランブラモジュール１０４〜１７４に設定する。デスクランブラモジュール１０４〜１７４は、設定されたＫｓを用いて暗号化されたコンテンツのデスクランブルを行い、デスクランブルされた放送番組の信号を記録再生制御モジュール１０９に送出する。そして、記録再生制御モジュール１０９は放送番組の信号を記録モジュール１１１へ記録したり、ＡＶデコードモジュール１０５へ出力したりする。
【００１６】
記録モジュール１１１は、ＨＤＤ、ディスクドライブ、ＳＤ（登録商標）カードリーダライタであり、記録再生制御モジュール１０９からの放送番組の信号を記録する。記録モジュール１１１は、デジタル放送受信装置１０１の必須構成ではなく、デジタル放送受信装置１０１に対して接続される機器であってもよい。この場合、記録再生制御モジュール１１０からの出力は、ＩＥＥＥ１３９４インターフェース又はＨＤＭＩ（High-Definition Multimedia Interface）インターフェースなどを介して、記録モジュール１１１へ転送される。また、ＡＶデコードモジュール１０５は、放送番組の信号をＡＶ情報（映像および音声）へデコードする。
【００１７】
ＡＶ情報のデコード出力（ＡＶ出力）は、表示処理モジュール１０６を介して、表示装置２００又は外部モニタ（図示せず）に出力される。表示処理モジュール１０６は、ＯＳＤ（On Screen Display）等によりユーザへの情報を提示するための、ＧＵＩ（Graphical User Interface）機能を持っている。このＧＵＩ機能により、図２〜図９に示す録画時間設定画面が表示装置２００又は外部モニタに表示される。
【００１８】
また、操作入力モジュール１８０は、ユーザからの各種操作を入力する。例えば、操作入力モジュール１８０は、ユーザからの自動録画の設定、録画時間の設定、録画時間帯の設定を入力する。操作入力モジュール１８０は、デジタル放送受信装置１０１に取り付けられた固定の操作パネルに相当するものであってもよいし、またデジタル放送受信装置１０１から分離したリモートコントローラであってもよい。
【００１９】
次に、自動録画時の録画時間設定について説明する。上記説明したように、デジタル放送受信装置１０１は、８つ以上のチューナモジュールを備えている。つまり、デジタル放送受信装置１０１が、少なくとも８チャンネルを同時録画することができる。
【００２０】
例えば、ユーザが、操作入力モジュール１８０を介して、チャンネル１〜８に対して自動録画を設定し、チャンネル１〜８に対して８時間の録画時間を設定すると、記録再生制御モジュール１０９は、チャンネル１〜８の８時間分の番組データを記録モジュール１１１へ録画し、その後は、記録再生制御モジュール１０９は、チャンネル１〜８の録画済み番組データのうちの最も古い番組データに対して、チャンネル１〜８の最も新しい番組データを上書きする。これにより、記録モジュール１１１には、常に、チャンネル１〜８の最新の８時間分の番組データが保持されることになる。
【００２１】
次に、図２〜９を参照し、最適自動録画について説明する。最初に、図２、図３を参照し第１の最適自動録画について説明する。
【００２２】
ユーザが、操作入力モジュール１８０を介して、チャンネル１〜８に対して最適自動録画を設定し、チャンネル１に対して１４時間の録画時間を設定すると、表示装置２００には図２の上段に示す画面が表示される。続いて、録画再生制御モジュール１０９は、記録モジュール１１１の残容量、及びチャンネル１に対して設定された設定録画時間（１４時間）に基づき、チャンネル１を除く他のチャンネル（チャンネル２〜８）の夫々に対して録画時間（例えば６時間）を算出し、表示装置２００に表示されていた図２の上段の画面は図２の下段の画面に切り替わる。なお、一例として、録画再生制御モジュール１０９は、記録モジュール１１１の残容量、及びチャンネル１に対して設定された設定録画時間（１４時間）に基づき、チャンネル１を除く他のチャンネル（チャンネル２〜８）の夫々に対して均一な録画時間（例えば６時間）を算出する。
【００２３】
録画再生制御モジュール１０９は、チューナモジュール１０２により選局されるチャンネル１の放送信号の録画を設定録画時間（１４時間）に従い制御する。つまり、記録モジュール１１１は、チャンネル１の放送信号を録画し続け、記録モジュール１１１には、チャンネル１の最新の１４時間分の番組データが保持される。さらに、録画再生制御モジュール１０９は、チューナモジュール１１２、１２２、１３２、１４２、１５２、１６２、１７２により選局されるチャンネル２〜８の放送信号の録画を設定録画時間（例えば６時間）に従い制御する。つまり、記録モジュール１１１は、チャンネル２〜８の放送信号を録画し続け、記録モジュール１１１には、チャンネル２〜８の最新の６時間分の番組データが保持される。
【００２４】
或いは、ユーザが、操作入力モジュール１８０を介して、チャンネル１〜８に対して最適自動録画を設定し、チャンネル１に対して１４時間の録画時間を設定し、チャンネル６に対して３０時間の録画時間を設定すると、表示装置２００には図３の上段に示す画面が表示される。続いて、録画再生制御モジュール１０９は、記録モジュール１１１の残容量、チャンネル１に対して設定された設定録画時間（１４時間）、及びチャンネル６に対して設定された設定録画時間（３０時間）に基づき、チャンネル１、６を除く他のチャンネル（チャンネル２〜５、７、８）の夫々に対して録画時間（例えば２時間）を算出し、表示装置２００に表示されていた図３の上段の画面は図３の下段の画面に切り替わる。なお、一例として、録画再生制御モジュール１０９は、記録モジュール１１１の残容量、チャンネル１に対して設定された設定録画時間（１４時間）、及びチャンネル６に対して設定された設定録画時間（３０時間）に基づき、チャンネル１、２を除く他のチャンネル（チャンネル２〜５、７、８）の夫々に対して均一な録画時間（２時間）を算出する。
【００２５】
録画再生制御モジュール１０９は、チューナモジュール１０２により選局されるチャンネル１の放送信号の録画を設定録画時間（１４時間）に従い制御し、チューナモジュール１５２により選局されるチャンネル６の放送信号の録画を設定録画時間（３０時間）に従い制御する。つまり、記録モジュール１１１は、チャンネル１、６の放送信号を録画し続け、記録モジュール１１１には、チャンネル１の最新の１４時間分の番組データ、及びチャンネル６の最新の３０時間分の番組データが保持される。さらに、録画再生制御モジュール１０９は、チューナモジュール１１２、１２２、１３２、１４２、１６２、１７２により選局されるチャンネル２〜５、７、８の放送信号の録画を設定録画時間（例えば２時間）に従い制御する。つまり、記録モジュール１１１は、チャンネル２〜５、７、８の放送信号を録画し続け、記録モジュール１１１には、チャンネル２〜５、７、８の最新の２時間分の番組データが保持される。
【００２６】
なお、ストリームのレートはチャンネルごとに異なるため、チャンネルごとにストリームを考慮した上でチャンネルごとの設定録画時間分の記録容量又は算出録画時間分の記憶容量を計算して、全チャンネルの記憶容量の総和が記録モジュール１１１の残容量を超えないようにする必要がある。
【００２７】
地上デジタル放送は、1787.28kbps／セグメントであり、地上デジタル放送のレートは、18255.77kbps 〜23.23464Mbpsになる。
【００２８】
BS/CSデジタル放送においては、伝送速度は28.860メガボーであり、変調方式8PQKの条件で、トレリス内符号化2/3、外符号化RS（204,188）が符号化上の最大となる。従って、全48スロットでは、情報レート≒28.860M×3（8PQK）×2/3（トレリス）×188/204（RS）×204/208（位相基準バースト）＝52.17Mbpsとなる。
【００２９】
つまり、録画再生制御モジュール１０９は、記録モジュール１１１の残容量、及びチャンネル１に対して設定された設定録画時間、さらにチャンネル１〜８のレートに基づき、チャンネル１を除く他のチャンネル（チャンネル２〜８）の夫々に対して録画時間を算出する。
【００３０】
同様に、録画再生制御モジュール１０９は、記録モジュール１１１の残容量、チャンネル１に対して設定された設定録画時間、チャンネル６に対して設定された設定録画時間、さらにチャンネル１〜８のレートに基づき、チャンネル１、２を除く他のチャンネル（チャンネル２〜５、７、８）の夫々に対して録画時間を算出する。
【００３１】
なお、デジタル放送受信装置１０１は、各チャンネルのレートに関する情報を放送信号の属性情報（例えばＥＰＧ）から取得する。或いは、デジタル放送受信装置１０１は、各チャンネルのレートに関する情報をネットワーク経由で取得する。
【００３２】
以上により、デジタル放送受信装置１０１は、簡単操作に対応して、所望のチャンネル（上記したチャンネル１、６）に対して優先的に長時間録画を設定することができる。また、チャンネル１に対して録画時間が設定されてから、次にチャンネル６に対して録画時間が設定された場合、録画再生制御モジュール１０９は、チャンネル１に対して優先度１を設定し、チャンネル６に対して優先度２を設定する（優先度１＞優先度２）。録画再生制御モジュール１０９は、チャンネル１〜８に対して割り振られた録画時間の修正が必要となった場合に、最初に、最も優先度の低いチャンネル２〜５、７、８に対して割り振られた録画時間を修正し、さらに録画時間の修正が必要な場合に、次に優先度の低いチャンネル６に対して割り振られた録画時間を修正し、さらに録画時間の修正が必要な場合に、最も優先度の高いチャンネル１に対して割り振られた録画時間を修正する。これにより、ユーザが意図する優先順位が守られる。
【００３３】
続いて、図４、図５を参照し、第２の最適自動録画について説明する。
【００３４】
ユーザが、操作入力モジュール１８０を介して、チャンネル１〜８に対して最適自動録画を設定し、これらチャンネル１〜８の録画時間帯（例えば全日）を設定する。例えば、全日（００：００〜２４：００）、早朝（０４：００〜０７：００）、午前（０７：００〜１２：００）、午後（１２：００〜１９：００）、ゴールデンタイム（１９：００〜２２：００）、深夜（２２：００〜０２：００）の中から希望の録画時間帯を選択することができる。また、任意の時間帯を設定することもできる。
【００３５】
上記録画時間帯の設定に対応して、録画再生制御モジュール１０９は、記録モジュール１１１の残容量、及びチャンネル１〜８に対して設定された録画時間帯（例えば全日）に基づき、チャンネル１〜８の夫々に対して録画日数（例えば２日（２４時間×２日））を算出し、表示装置２００に対して図４に示す画面を表示する。このケースでは、チャンネル１〜８の夫々に対して均一な録画日数（例えば２日）が算出されている。
【００３６】
録画再生制御モジュール１０９は、チューナモジュール１０２、１１２、１２２、１３２、１４２、１５２、１６２、１７２により選局されるチャンネル１〜８の放送信号の録画を設定録画時間帯及び設定録画日数（例えば２日）に従い制御する。つまり、記録モジュール１１１は、チャンネル１〜８の放送信号を全日にわたり録画し続け、記録モジュール１１１には、チャンネル１〜８の最新の２日（２４時間×２日）分の番組データが保持される。
【００３７】
或いは、ユーザが、操作入力モジュール１８０を介して、チャンネル１〜８に対して最適自動録画を設定し、これらチャンネル１〜８の録画時間帯（例えばゴールデンタイム）を設定する。この録画時間帯の設定に対応して、録画再生制御モジュール１０９は、記録モジュール１１１の残容量、及びチャンネル１〜８に対して設定された録画時間帯（例えばゴールデンタイム）に基づき、チャンネル１〜８の夫々に対して録画日数（例えば１６日（３時間×１６日））を算出し、表示装置２００に対して図５に示す画面を表示する。このケースでは、チャンネル１〜８の夫々に対して均一な録画日数（例えば１６日（３時間×１６日））が算出されている。
【００３８】
録画再生制御モジュール１０９は、チューナモジュール１０２、１１２、１２２、１３２、１４２、１５２、１６２、１７２により選局されるチャンネル１〜８の放送信号の録画を設定録画時間帯及び設定録画日数（例えば１６日）に従い制御する。つまり、記録モジュール１１１は、チャンネル１〜８の放送信号をゴールデンタイムにおいて録画し続け、記録モジュール１１１には、チャンネル１〜８の最新のゴールデンタイムの１６日（３時間×１６日）分の番組データが保持される。
【００３９】
つまり、チャンネル１〜８の録画時間帯を全日（２４時間）に設定すると、チャンネル１〜８の夫々に対して２日の録画日数が割り当てられ、チャンネル１〜８の録画時間帯をゴールデンタイム（３時間）に設定すると、チャンネル１〜８の夫々に対して１６日の録画日数が割り当てられる。
【００４０】
以上により、デジタル放送受信装置１０１は、記録モジュール１１１の残容量と自動録画が希望された各チャンネルに対して設定された録画時間帯とに応じた、最適な録画日数を設定することができる。
【００４１】
続いて、図６、図７を参照し、第３の最適自動録画について説明する。
【００４２】
ユーザが、操作入力モジュール１８０を介して、チャンネル１〜８に対して最適自動録画を設定し、これらチャンネル１〜８の録画時間帯（例えば全日）を設定する。この録画時間帯の設定に対応して、録画再生制御モジュール１０９は、記録モジュール１１１の残容量、及びチャンネル１〜８に対して設定された録画時間帯（例えば全日）に基づき、チャンネル１〜８の夫々に対して録画日数（例えば２日（２４時間×２日））を算出する。このケースでは、例えば、チャンネル１〜８の夫々に対して均一な録画日数が算出される。
【００４３】
続いて、ユーザが、操作入力モジュール１８０を介して、チャンネル１の録画時間帯を変更したとする。例えば、チャンネル１の録画時間帯を、全日からゴールデンタイムへ変更したとする。この録画時間帯の設定変更に対応して、録画再生制御モジュール１０９は、記録モジュール１１１の残容量、チャンネル１に対して変更された録画時間帯（ゴールデンタイム）、及びチャンネル１を除く他のチャンネル２〜８に対して設定された録画時間帯（例えば全日）に基づき、チャンネル１〜８の夫々に対して録画日数（例えば３日）を再算出し、表示装置２００に対して図６に示す画面を表示する。このケースでは、チャンネル１に対してゴールデンタイムの３日分の録画時間（３時間×３日）と、チャンネル２〜８の夫々に対して３日分の録画時間（２４時間×３日）が算出されている。
【００４４】
録画再生制御モジュール１０９は、チューナモジュール１０２により選局されるチャンネル１の放送信号の録画を変更録画時間帯（ゴールデンタイム）及び再算出された録画日数（３日）に従い制御し、チューナモジュール１１２、１２２、１３２、１４２、１５２、１６２、１７２により選局されるチャンネル２〜８の放送信号の録画を設定録画時間帯（全日）及び再算出された録画日数（３日）に従い制御する。つまり、記録モジュール１１１は、チャンネル１の放送信号をゴールデンタイムにおいて録画し続け、チャンネル２〜８の放送信号を全日において録画し続け、記録モジュール１１１には、チャンネル１の最新のゴールデンタイムの３日（３時間×３日）分の番組データが保持され、チャンネル２〜８の最新の３日（２４時間×３日）分の番組データが保持される。
【００４５】
さらに、ユーザが、操作入力モジュール１８０を介して、チャンネル２の録画時間帯を変更したとする。例えば、チャンネル２の録画時間帯も、全日からゴールデンタイムへ変更したとする。この録画時間帯の設定変更に対応して、録画再生制御モジュール１０９は、記録モジュール１１１の残容量、チャンネル１に対して変更された録画時間帯（ゴールデンタイム）、チャンネル２に対して変更された録画時間帯（ゴールデンタイム）、及びチャンネル１、２を除く他のチャンネル３〜８に対して設定された録画時間帯（例えば全日）に基づき、チャンネル１〜８の夫々に対して録画日数（例えば４日）を再算出し、表示装置２００に対して図７に示す画面を表示する。このケースでは、チャンネル１、２の夫々に対してゴールデンタイムの４日分の録画日数と、チャンネル３〜８の夫々に対して４日分の録画日数が算出されている。
【００４６】
録画再生制御モジュール１０９は、チューナモジュール１０２、１１２により選局されるチャンネル１、２の放送信号の録画を変更録画時間帯（ゴールデンタイム）及び再算出された録画日数（４日）に従い制御し、チューナモジュール１２２、１３２、１４２、１５２、１６２、１７２により選局されるチャンネル３〜８の放送信号の録画を設定録画時間帯（全日）及び再算出された録画日数（４日）に従い制御する。つまり、記録モジュール１１１は、チャンネル１、２の放送信号をゴールデンタイムにおいて録画し続け、チャンネル３〜８の放送信号を全日において録画し続け、記録モジュール１１１には、チャンネル１、２の最新のゴールデンタイムの４日（３時間×４日）分の番組データが保持され、チャンネル３〜８の最新の４日（２４時間×４日）分の番組データが保持される。
【００４７】
つまり、チャンネル１の録画時間帯を全日（約２４時間）からゴールデンタイム（約３時間）に変更すると、録画に必要な記憶容量が減る。これに伴い、チャンネル２〜８の録画時間を長くすることができる。さらに、チャンネル２の録画時間帯も全日（約２４時間）からゴールデンタイム（約３時間）に変更すると、録画に必要な記憶容量がさらに減る。これに伴い、チャンネル３〜８の録画時間をさらに長くすることができる。
【００４８】
以上により、デジタル放送受信装置１０１は、記録モジュール１１１の残容量と自動録画が希望された各チャンネルに対して設定された録画時間帯（変更時間帯）とに応じた、最適な録画日数を設定することができる。
【００４９】
続いて、図８、図９を参照し、第４の最適自動録画について説明する。
【００５０】
ユーザが、操作入力モジュール１８０を介して、チャンネル１〜８に対して最適自動録画を設定し、これらチャンネル１〜８の録画時間帯（例えば全日）を設定する。この録画時間帯の設定に対応して、録画再生制御モジュール１０９は、記録モジュール１１１の残容量、及びチャンネル１〜８に対して設定された録画時間帯（例えば全日）に基づき、チャンネル１〜８の夫々に対して録画日数（例えば２日（２４時間×２日））を算出する。このケースでは、例えば、チャンネル１〜８の夫々に対して均一な録画日数（例えば２日）が算出される。
【００５１】
続いて、ユーザが、操作入力モジュール１８０を介して、チャンネル１の録画時間帯を変更したとする。例えば、チャンネル１の録画時間帯を、全日（２４時間）からゴールデンタイム（３時間）へ変更したとする。この録画時間帯の設定変更に対応して、録画再生制御モジュール１０９は、チャンネル１に対して変更された録画時間帯（ゴールデンタイム）に基づき、チャンネル１に対して録画日数（例えば３時間×１６日）を再算出し、表示装置２００に対して図８に示す画面を表示する。このケースでは、チャンネル１に対する録画日数だけが延長されている。
【００５２】
録画再生制御モジュール１０９は、チューナモジュール１０２により選局されるチャンネル１の放送信号の録画を変更録画時間帯（ゴールデンタイム）及び再算出された録画日数（１６日）に従い制御し、チューナモジュール１１２、１２２、１３２、１４２、１５２、１６２、１７２により選局されるチャンネル２〜８の放送信号の録画を設定録画時間帯（全日）及び算出された録画日数（２日）に従い制御する。つまり、記録モジュール１１１は、チャンネル１の放送信号をゴールデンタイムにおいて録画し続け、チャンネル２〜８の放送信号を全日において録画し続け、記録モジュール１１１には、チャンネル１の最新のゴールデンタイムの１６日（３時間×１６日）分の番組データが保持され、チャンネル２〜８の最新の２日（２４時間×２日）分の番組データが保持される。
【００５３】
或いは、ユーザが、操作入力モジュール１８０を介して、チャンネル１〜８に対して最適自動録画を設定し、これらチャンネル１〜８の録画時間帯（例えばゴールデンタイム）を設定する。この録画時間帯の設定に対応して、録画再生制御モジュール１０９は、記録モジュール１１１の残容量、及びチャンネル１〜８に対して設定された録画時間帯（例えばゴールデンタイム）に基づき、チャンネル１〜８の夫々に対して録画日数（例えば１６日（３時間×１６日））を算出する。このケースでは、例えば、チャンネル１〜８の夫々に対して均一な録画日数（例えば１６日（３時間×１６日））が算出される。
【００５４】
続いて、ユーザが、操作入力モジュール１８０を介して、チャンネル１の録画時間帯を変更したとする。例えば、チャンネル１の録画時間帯を、ゴールデンタイム（３時間）から全日（２４時間）へ変更したとする。この録画時間帯の設定変更に対応して、録画再生制御モジュール１０９は、チャンネル１に対して変更された録画時間帯（全日）に基づき、チャンネル１に対して録画日数（例えば２日（２４時間×２日））を再算出し、表示装置２００に対して図９に示す画面を表示する。このケースでは、チャンネル１に対する録画日数だけが短縮されている。
【００５５】
録画再生制御モジュール１０９は、チューナモジュール１０２により選局されるチャンネル１の放送信号の録画を変更録画時間帯（全日）及び再算出された録画日数（２日）に従い制御し、チューナモジュール１１２、１２２、１３２、１４２、１５２、１６２、１７２により選局されるチャンネル２〜８の放送信号の録画を設定録画時間帯（ゴールデンタイム）及び算出された録画日数（１６日）に従い制御する。つまり、記録モジュール１１１は、チャンネル１の放送信号を全日にわたり録画し続け、チャンネル２〜８の放送信号をゴールデンタイムにおいて録画し続け、記録モジュール１１１には、チャンネル１の最新の２日（２４時間×２日）分の番組データが保持され、チャンネル２〜８の最新のゴールデンタイムの１６日（３時間×１６日）分の番組データが保持される。
【００５６】
以上により、デジタル放送受信装置１０１は、記録モジュール１１１の残容量と自動録画が希望された各チャンネルに対して設定された録画時間帯（変更時間帯）とに応じた、最適な録画日数を設定することができ、さらに、特定のチャンネルの録画時間帯の変更に対応して、特定のチャンネルの録画日数だけを再計算し、特定のチャンネルに対する最適な録画日数を設定することができる。
【００５７】
なお、本明細書中に記載のモジュールとは、ハードウェアで実現するものであっても良いし、ＣＰＵ等を使ってソフトウェアで実現するものであってもよい。
【００５８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５９】
【図１】この発明の一実施の形態に係るデジタル放送受信装置の概略構成を示す図である。
【図２】自動録画に対応した各チャンネルに対する録画時間設定画面の一例を示す図である。
【図３】自動録画に対応した各チャンネルに対する録画時間設定画面の一例を示す図である。
【図４】自動録画に対応した各チャンネルに対する録画時間設定画面の一例を示す図である。
【図５】自動録画に対応した各チャンネルに対する録画時間設定画面の一例を示す図である。
【図６】自動録画に対応した各チャンネルに対する録画時間設定画面の一例を示す図である。
【図７】自動録画に対応した各チャンネルに対する録画時間設定画面の一例を示す図である。
【図８】自動録画に対応した各チャンネルに対する録画時間設定画面の一例を示す図である。
【図９】自動録画に対応した各チャンネルに対する録画時間設定画面の一例を示す図である。
【符号の説明】
【００６０】
１０１…デジタル放送受信装置、１０２〜１７２…チューナ、１０３〜１７３…トランスポートストリーム（ＴＳ）分離モジュール、１０４〜１７４…デスクランブラモジュール、１０５〜１７５…ＡＶデコードモジュール、１０６…表示処理モジュール、１０７…ＣＡＳ制御モジュール、１０７ａ…カードスロット（カードインターフェースＩ／Ｆ）、１０８…ＣＡＳモジュール（ＣＡＳカード／ＩＣカード）、１０９…記録再生制御モジュール、１１１…記録モジュール、１１２…操作入力モジュール、２００…表示装置
【図１】
2010041078.tif 000003
【図２】
2010041078.tif 000004
【図３】
2010041078.tif 000005
【図４】
2010041078.tif 000006
【図５】
2010041078.tif 000007
【図６】
2010041078.tif 000008
【図７】
2010041078.tif 000009
【図８】
2010041078.tif 000010
【図９】
2010041078.tif 000011